【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
多重極マスフィルタであって、
複数の伝導性ロッドを有する第１のロッド一式と、
交互パターンで該第１のロッド一式に挟入され、並列に配列される、複数の伝導性ロッドを有する第２のロッド一式であって、該第１のロッド一式および該第２のロッド一式は、イオンを受容するための入力端および出力端を画定する、第２のロッド一式と、
該第１のロッド一式に電気的に結合される第１の電圧系統であって、ＲＦ角周波数、およびＲＦ振幅とＤＣ電圧の大きさとの比に応じて電圧を該第１のロッド一式に印加する、第１の電圧系統と、
該第２のロッド一式に電気的に結合される第２の電圧系統であって、該第２のロッド一式の該複数の伝導性ロッドの半径方向に対向する一対に、可変ＡＣ電圧を印加する、第２の電圧系統と
を備える、多重極マスフィルタ。
【請求項２】
前記第１のロッド一式の前記複数の伝導性ロッドのそれぞれは、横断面が略円形である、請求項１に記載の多重極マスフィルタ。
【請求項３】
前記第２のロッド一式の前記複数の伝導性ロッドのそれぞれは、横断面が略Ｔ字形である、請求項１に記載の多重極マスフィルタ。
【請求項４】
前記第２のロッド一式の前記複数の伝導性ロッドの残りに一定の電圧を印加する前記第２の電圧系統をさらに備える、請求項１に記載の多重極マスフィルタ。
【請求項５】
前記第１の電圧系統の前記電圧は、所定の質量のイオンが前記入力端から前記出力端を通過可能にするための手段を提供する、請求項１に記載の多重極マスフィルタ。
【請求項６】
前記ＡＣ電圧は、前記マスフィルタの分解能を増大させるための手段を提供する、請求項１に記載の多重極マスフィルタ。
【請求項７】
前記第１のロッド一式は、４つの伝導性ロッドを備え、前記第２のロッド一式は、４つの伝導性ロッドを備える、請求項１に記載の多重極マスフィルタ。
【請求項８】
前記可変ＡＣ電圧は、前記第２のロッド一式の前記複数の伝導性ロッドの前記半径方向に対向する一対に、質量対電荷比および質量分解能の関数として印加される、請求項１に記載の多重極マスフィルタ。
【請求項９】
前記第１のロッド一式の前記複数の伝導性ロッドは、中心軸から等距離で離間している、請求項１に記載の多重極マスフィルタ。
【請求項１０】
前記第２のロッド一式の前記複数の伝導性ロッドは、中心軸から等距離で離間している、請求項１に記載の多重極マスフィルタ。
【請求項１１】
質量分析計システムであって、
略大気圧領域内でイオンを発生させるイオン源と、
真空チャンバと、
該真空チャンバに配置される第１のマスフィルタであって、該第１のマスフィルタは、複数の伝導性ロッドを有する第１のロッド一式と、該第１のロッド一式に挟入され、並列に配列され、半径方向に対向する、複数の伝導性ロッドを有する第２のロッド一式とを含み、該第１のロッド一式および第２のロッド一式は、該イオンを受容する入力端および該イオンの少なくとも１つを渡す出力端を画定し、該第１のマスフィルタは、該第１のロッド一式の該複数の伝導性ロッドのそれぞれに電気的に接続される第１の電圧源をさらに有し、該第１の電圧源は、ＲＦ角周波数、およびＲＦ振幅とＤＣ電圧の大きさとの比に応じて電圧を該第１のロッド一式に印加し、該第１のマスフィルタは、該第２のロッド一式の該複数の伝導性ロッドの該それぞれに電気的に接続される第２の電圧源をさらに有し、該第２の電圧源は、可変ＡＣ電圧が該第２のロッド一式の２つの半径方向に対向する伝導性ロッドに印加されるように、該第２のロッド一式にＡＣ電圧を印加する、第１のマスフィルタと、
少なくとも１つのイオンを検出する検出器と
を備える、質量分析計システム。
【請求項１２】
前記真空チャンバに配置される衝突セルであって、該衝突セルは、前記第１のマスフィルタから前記イオンのうちの前記少なくとも１つの分離を誘起し、前記マスフィルタの前記出力端に接続される入力と、そこから断片化したイオンを放出するための出力端とを有する、衝突セルと、
該真空チャンバに配置される第２のマスフィルタであって、該第２のマスフィルタは、複数の伝導性ロッドを有する第３のロッド一式と、該第３のロッド一式に挟入され、並列に配列され、半径方向に対向する、複数の伝導性ロッドを有する第４のロッド一式とを備え、該第３のロッド一式と第４のロッド一式は、該断片化したイオンを受容する入力端および少なくとも１つのイオンを渡す出力端を画定し、該第２のマスフィルタは、該第３のロッド一式の該複数の伝導性ロッドのそれぞれに電気的に接続される第３の電圧源をさらに有し、該第３の電圧源は、ＲＦ角周波数、およびＲＦ振幅とＤＣ電圧の大きさとの比に応じて電圧を該第３のロッド一式に印加し、該第２のマスフィルタは、該第４のロッド一式の前記複数の伝導性ロッドのそれぞれに電気的に接続される第４の電圧源をさらに有し、該第４の電圧源は、可変ＡＣ電圧が該第４のロッド一式の２つの半径方向に対向する伝導性ロッドに印加されるように、該第４のロッド一式にＡＣ電圧を印加する、第２のマスフィルタと
をさらに備える、請求項１１に記載の質量分析計システム。
【請求項１３】
前記第３のロッド一式の前記複数の伝導性ロッドのそれぞれは、横断面が略円形である、請求項１２に記載の質量分析計システム。
【請求項１４】
前記第４のロッド一式の前記複数の伝導性ロッドのそれぞれは、横断面が略Ｔ字形である、請求項１２に記載の質量分析計システム。
【請求項１５】
前記第２のロッド一式の前記複数の伝導性ロッドの残りに一定のＲＦ電圧を供給する前記第２の電圧源をさらに備える、請求項１１に記載の質量分析計システム。
【請求項１６】
前記第１のロッド一式の前記複数の伝導性ロッドのそれぞれは、横断面が略円形である、請求項１１に記載の質量分析計システム。
【請求項１７】
前記第２のロッド一式の前記複数の伝導性ロッドのそれぞれは、横断面が略Ｔ字形である、請求項１１に記載の質量分析計システム。
【請求項１８】
マスフィルタの質量分解能を向上させる方法であって、
中心軸の周囲に等距離で配設される、第１の複数の細長い電極を提供することと、
交互パターンで、該第１の複数の細長い電極と実質的に並列であり、挟入される、第２の複数の細長い電極を提供することと、
ＲＦ角周波数、およびＲＦ振幅とＤＣ電圧の大きさとの比に応じて、電圧を該第１の複数の細長い電極に印加することと、
該第２の複数の細長い電極の２つの半径方向に対向する電極に可変ＡＣ電圧を印加することと
を含む、方法。
【請求項１９】
前記ＲＦ電圧を変動させるように、少なくとも１つの波形を印加することをさらに含む、請求項１８に記載の方法。
【請求項２０】
前記可変ＡＣ電圧を変動させるように、前記複数の電極の前記２つの半径方向に対向する電極に少なくとも１つの波形を印加することをさらに含む、請求項１８に記載の方法。
【請求項２１】
前記第２の複数の細長い電極の残りに一定のＲＦ電圧を印加することをさらに含む、請求項１８に記載の方法。
【請求項２２】
選択された質量対電荷比および質量分解能の両方の関数を使用して、前記２つの半径方向に対向する相補的な電極に前記可変ＡＣ電圧を印加することをさらに含む、請求項１８に記載の方法。
【請求項２３】
複数のイオンを前記マスフィルタに導入し、質量対電荷比に基づいて前記イオンを分離することをさらに含む、請求項１８に記載の方法。
【請求項２４】
前記質量対電荷比によって分離された前記イオンを検出することをさらに含む、請求項１８に記載の方法。
【請求項２５】
前記可変ＡＣ電圧は、変動振幅を含む、請求項１８に記載の方法。